(57)【要約】【課題】  低コストで容易に設置ができ、広範囲の農地を長期間にわたり害獣による作物被害を防止することができる発光式害獣除け装置を得ることにある。【解決手段】  有色ＬＥＤ発光部と音響発生器を設け、当該有色ＬＥＤ発光部の光を反射する反射体を設け、当該反射体を支持する支柱を設け、当該反射体と当該支柱を遊嵌状態にある連結具を介して連結し、当該反射体の反射光方向と当該音響発生器の音響発生方向がほぼ同一方向になるように構成し、当該有色ＬＥＤ発光部と当該音響発生器を間欠駆動制御回路を介して電源と接続することで揺動反射式害獣除け装置を構成している。【選択図】図１
2019017376.tif 000002
【特許請求の範囲】
【請求項１】
有色ＬＥＤ発光部と音響発生器を設け、当該有色ＬＥＤ発光部の光を反射する反射体を設け、当該反射体を支持する支柱を設け、当該反射体と当該支柱を遊嵌状態にある連結具を介して連結し、当該反射体の反射光方向と当該音響発生器の音響発生方向がほぼ同一方向になるように構成し、当該有色ＬＥＤ発光部と当該音響発生器を間欠駆動制御回路を介して電源と接続することを特徴とする揺動反射式害獣除け装置。
【請求項２】
請求項１における、反射体の反射光方向と検知方向がほぼ同一方向となるように赤外線センサを設け、当該赤外線センサの出力する検知信号でオンとなるスイッチ機構を設け、当該スイッチ機構を間欠駆動制御回路と置き換えることを特徴とする揺動反射式害獣除け装置。
【請求項３】
請求項１、及び２における、反射体と支柱をバネを介して連結することを特徴とする揺動反射式害獣除け装置。
【請求項４】
請求項２、及び３における、音響発生器を間欠駆動制御回路を介して電源と接続することを特徴とする揺動反射式害獣除け装置。
【請求項５】
請求項２、ないし請求項４における、赤外線センサの検知方向と発光方向がほぼ同一方向となり、且つ全光束４００ルーメン以上のパワーＬＥＤ発光部を設け、当該パワーＬＥＤ発光部と電源を点滅制御回路を介して接続することを特徴とする揺動反射式害獣除け装置。
【請求項６】
請求項１、ないし請求項５における、電源をソーラーパネルやニッケル水素二次電池の組み合わせとすることを特徴とする揺動反射式害獣除け装置。
【発明の詳細な説明】
【技術分野】
【０００１】  本発明は、農作物へ被害を及ぼすシカやイノシシなどの害獣を寄せ付けないようにするものであり、広範囲の農地を低コストでカバーすることを目的とする揺動式害獣除け装置に関するものである。
【背景技術】
【０００２】  従来より、田畑を荒らす害獣による被害は大きなものがあり、柵を設けて侵入を防ぐという解決策の他に、多くの種類の忌避による撃退対策がなされいる。【０００３】  先ず、最も一般的に使われているのは電気柵であり、低コストな構成材で比較的容易に設置ができ、田畑を高圧のパルス電流を流す導電部材で囲むものであり、害獣が中に入ろうとして導電部材に触れると電気ショックを引き起こすようになっており、昼夜を問わず大きな忌避効果のあるものである（特許文献１参照）。【０００４】  次に、光による忌避効果を利用するものがあり、線上に多数の発光素子を設けるという低コストな構成であり、長い線状体に発光素子を備えるため比較的大きな青色の発光体を形成することができ、点滅発光で追い払うというものである。【０００５】  イノシシの視覚は青色をよく認識するため大きな忌避効果があり、ソーラーパネルや蓄電機構を組み合わせて電源にすることができる構成となっている（特許文献２参照）。【０００６】  次に、光や音による忌避効果を利用するものがあり、点滅発光する複数のＬＥＤ発光体や威嚇音発生器が特徴であり、害獣の接近を検知する赤外線センサ、並びに周囲の明るさを検知する光センサを設け、点滅発光と威嚇音で害獣を寄せ付けないようにするものである。【０００７】  また、これもソーラーパネルや蓄電機構を組み合わせて電源にすることができる構成となっている（特許文献３参照）。【０００８】  次に、鳥に対する忌避具があり、複数の反射板を風で揺れ動くように紐で吊支し、反射光の変化を忌避効果とするものである（特許文献４参照）。
【先行技術文献】
【特許文献】
【０００９】
【特許文献１】特許公開２００８−６１５６２号公報
【特許文献２】特許公開２０１１−９７８７５号公報
【特許文献３】登録実用新案第３１６９２６２号公報
【特許文献４】公開実用新案昭６３−１５１７７７号公報
【発明の概要】
【発明が解決しようとする課題】
【００１０】  文献１に示される先行技術は、低コストで大きな面積をカバーできるため広く普及しており害獣除けの手段としての実績はあるが、草が伸びて導電部に触れると漏電してしまうため、こまめな草刈作業が必要であるという課題がある。【００１１】  また、導電線や支柱周りの草刈りは非常に手間や時間の掛かる作業であり大きな労力が必要となっている。【００１２】  文献２に示される先行技術は、複数の発光素子の発光方向を所定の向きになるように配することが難しいため、パワーＬＥＤを効果的に用いることができないという問題がある。【００１３】  イノシシなどの害獣は視界の大きな変化を嫌うため、発光強度の高いパワーＬＥＤの点滅が効果的であるが、この構成の弱い発光では視認できる範囲が狭く、大きな効果を期待することができないという問題がある。【００１４】  また、弱い発光では明るいときの忌避効果が小さくなるという問題がある。【００１５】  更に、この構成の害獣の慣れ防止策としては点滅の周期や発光強度の変動だけであり、慣れやすいという問題もある。【００１６】  文献３に示される先行技術は、複数の色の発光素子やパワーＬＥＤの発光や威嚇音の発生パターンを変動することで害獣の慣れ防止策とするものである。【００１７】  また、間欠的に発光や威嚇音を発生することで、赤外線センサの検知範囲外の害獣を寄せ付けないようにし、害獣が検知範囲内に侵入したときはパワーＬＥＤの点滅発光と威嚇音を同時に発生し、夜間における忌避効果を大きくしている。【００１８】  この構成では複数の発光素子の発光や威嚇音の発生を明るいときの忌避手段としているが、明るいときの発光については前記文献２に示される先行技術と同様に効果が小さいという問題がある。【００１９】  また、前記文献２に示される先行技術と比べて害獣が視認する発光体の面積が小さいため忌避効果も小さくなるという問題もある。【００２０】  従って、前記文献２、及び文献３に示される先行技術では明るいときに出没する害獣対策に課題がある。【００２１】  文献４に示される先行技術は、白色光である太陽光を反射する反射板の揺動により、反射光の方向や強度を変えるものであり、反射光の波長の変化という高い視認性を有する機能を備えていないため、忌避効果に劣るという点がある。【００２２】  本発明は以上のような問題点を解決するためになされたものである。
【課題を解決するための手段】
【００２３】  上記目的を達成するための本発明の第１の解決手段として、本発明は、有色ＬＥＤ発光部と音響発生器を設け、当該有色ＬＥＤ発光部の光を反射する反射体を設け、当該反射体を支持する支柱を設け、当該反射体と当該支柱を遊嵌状態にある連結具を介して連結し、当該反射体の反射光方向と当該音響発生器の音響発生方向がほぼ同一方向になるように構成し、当該有色ＬＥＤ発光部と当該音響発生器を間欠駆動制御回路を介して電源と接続することで揺動反射式害獣除け装置を構成している。【００２４】  次に、本発明の第２の解決手段としては、前記第１の解決手段における、反射体の反射光方向と検知方向がほぼ同一方向となるように赤外線センサを設け、当該赤外線センサの出力する検知信号でオンとなるスイッチ機構を設け、当該スイッチ機構を間欠駆動制御回路と置き換えることで揺動反射式害獣除け装置を構成している。【００２５】  次に、本発明の第３の解決手段としては、前記第１、及び前記第２の解決手段における、反射体と支柱をバネを介して連結することを特徴とすることで揺動反射式害獣除け装置を構成している。【００２６】  次に、本発明の第４の解決手段としては、前記第２、及び前記第３の解決手段における、音響発生器を間欠駆動制御回路を介して電源と接続することで揺動反射式害獣除け装置を構成している。【００２７】  次に、本発明の第５の解決手段としては、前記第２、ないし前記第４の解決手段における、赤外線センサの検知方向と発光方向がほぼ同一方向となり、且つ全光束４００ルーメン以上のパワーＬＥＤ発光部を設け、当該パワーＬＥＤ発光部と電源を点滅制御回路を介して接続することで揺動反射式害獣除け装置を構成している。【００２８】  次に、本発明の第６の解決手段としては、前記第１、ないし前記第５の解決手段における、電源をソーラーパネルやニッケル水素二次電池の組み合わせとすることで揺動反射式害獣除け装置を構成している。
【発明の効果】
【００２９】  少ないコストと労力で広い範囲の田畑を昼夜を問わずに害獣の被害から守ることができる本発明のコンセプトは田畑の単位面積当たりの収益に鑑みるものである。【００３０】  本発明は前記背景技術における維持管理の労力や慣れ防止策、並びに明るいときの忌避対策においての課題を解決する手段である。【００３１】  先ず、本発明の設置場所は屋外であるため容易に自然風を利用でき、その風圧を受けて揺れ動く反射体が本発明の特徴であり、反射体の反射光方向や強度の変化による忌避効果を有するものである。【００３２】  更に、本発明の特徴である有色ＬＥＤの発光による反射光の波長の変化を伴うという点は視認性や慣れ防止に優れており、明るいときでも大きな忌避効果が期待できる。【００３３】  次に、反射体をバネで吊支する構成は、受ける風が微風のときでも揺動し、反射光の向きや強度の大きな変化となり、優れた視認性を有するものとなっている。【００３４】  また、風で反射体が揺動するという機能は、本構成を支持する支柱の転倒防止効果もあり、強風に耐えるものにすることができる。【００３５】  次に、反射体と音響発生器との組み合わせは、反射光に発生音響が加わり存在を更に強調している。【００３６】  次に、有色ＬＥＤ発光部や音響発生器の間欠駆動制御は、ししおどしのように機能するものであり、離れたところにいる害獣にも忌避効果を及ぼすものである。【００３７】  次に、赤外線センサを設ける構成は、害獣の接近を検知するとスイッチがオンとなり、音響が発生し、視認性に優れる反射体が突然現れるため大きな忌避効果がある。【００３８】  この構成のＬＥＤ発光部にイノシシがよく認識する青色ＬＥＤを用いることでイノシシに対し非常に大きな忌避効果を得ることができる。【００３９】  次に、赤外線センサの検知方向と発光方向がほぼ同一方向となるように全光束４００ルーメン以上であり、且つ点滅制御機構を備えるパワーＬＥＤ発光部を設ける構成は、夜間において害獣の嫌う視界の大きな変化とすることができるため大きな忌避効果がある。【００４０】  次に、ソーラーパネルやニッケル水素二次電池からなる電源の構成は、屋外設置である本発明に適しており、装置の保守管理に掛かる労力やコストを低減することができる。
【図面の簡単な説明】
【００４１】
【図１】  本発明の第１実施形態を示す斜視図
【図２】  本発明の第２実施形態の要部を示す斜視図
【図３】  本発明の設置状態示す平面図
【発明を実施するための形態】
【００４２】  先ず、本発明の第１実施形態を図１を参照し説明すれば、有色ＬＥＤ発光部（２）の光を反射するように反射体（１）を設け、反射体（１）を連結具（３）を介して取り付け部（８）と連結し、支柱（９）に取り付け部（８）を取り付け、音響発生器（６）を取り付け部（８）に取り付け、間欠駆動制御回路や電池を収める収納箱（１０）を設け、音響発生器（６）や有色ＬＥＤ発光部（２）をケーブル（１１）を介して収納箱（１０）と接続する構成である（請求項１記載）。
【００４３】  この構成の反射体（１）を吊支する連結具（３）は遊嵌状態にあり、且つ揺動を制限する機能を有し、有色ＬＥＤ発光部（２）の発光を反射体（１）がよく反射できる角度内に止めるものである。
【００４４】  なお、有色ＬＥＤ発光部（２）の色はイノシシの認識しやすい青色ＬＥＤで構成することで視認性を高めることができる。
【００４５】  音響発生器（６）や有色ＬＥＤ発光部（２）を駆動する間欠駆動制御回路についてはタイマーＩＣなどを用いて構成することができる。
【００４６】  次に、反射体（１）の反射光方向と検知方向がほぼ同一方向となるように、赤外線センサ（５）を取り付け部（８）に設け、赤外線センサ（５）の出力する検知信号でオンとなるスイッチ機構を設け、間欠駆動制御回路と置き換える構成については、赤外線センサ（５）の検出範囲は角度１０４度／距離約１２メートルであり、この範囲内に害獣が侵入すると音響発生器（６）が音響を発生し、有色ＬＥＤ発光部（２）が発光し、反射体（１）の反射光となるものである（請求項２記載）。
【００４７】  なお、赤外線センサ（５）は有色ＬＥＤ発光部（２）の発光時の熱を感知すると誤動作してしまうため、有色ＬＥＤ発光部（２）の照射外の位置に赤外線センサ（５）を設ける、または遮熱板を設けるという方法で誤作動を防止することができる。
【００４８】  次に、音響発生器（６）のスイッチ機構を赤外線センサ（５）の出力信号に加え、間欠駆動制御回路の出力信号でもオンとなるように設ける構成について説明すれば、日照時に反射体（１）は太陽光を反射し、揺動状態であれば反射光の方向や強さが変化するため、音響発生器（６）の間欠駆動だけでも害獣を寄せ付けないようにすることができ、省電力を図りつつ忌避効果を得ることができる（請求項４記載）。
【００４９】  次に、赤外線センサ（５）の検知方向と発光方向がほぼ同一方向となるように、点滅制御機能を備えるパワーＬＥＤ発光部（７）を取り付け部（８）に設ける構成については、パワーＬＥＤ発光部（７）は全光束約１５００ルーメンを有するものであり、夜間に約１２メートルの距離からの強い光の点滅照射は害獣の視界の大きな変化を可能とするものである（請求項５記載）。
【００５０】  次に、上部にソーラーパネル（４）を設け、収納箱（１０）内にソーラーパネル（４）の発生電力を蓄電するニッケル水素二次電池を設け、電源とする構成は、電源に電池交換などの手間やコストが掛からないという利点があり、更にソーラーパネル（４）の発生電圧を利用することで、トランジスタ回路を用いて日没時にスイッチを自動的に切り替えることができる（請求項６記載）。
【００５１】  このスイッチの自動切り替えにより、有色ＬＥＤ発光部（２）やパワーＬＥＤ発光部（７）それぞれの機能の特徴を活かすことができる。
【００５２】  たとえば、昼間に有色ＬＥＤ発光部（２）を発光し、夜間はパワーＬＥＤ発光部（７）が発光するようにトランジスタスイッチ回路を構成することで、省電力を図りつつ害獣の慣れを防止することができる。
【００５３】  次に、図２に示す構成は第２実施形態であり、反射体（１）と取り付け部（８）をバネ（１２）を介して連結し、反射体（１）をバネ（１２）で吊支するものである（請求項３記載）。
【００５４】  反射体（１）を吊支するバネ（１２）は少したわみのある状態に取り付けることで揺動しやすい構成にすることができる。
【００５５】  この図における連結具（３）の機能は主に反射体（１）の揺動を制限するためのものであり、第１実施形態と同様に動きやすい遊嵌状態となるように取り付けるものである。
【００５６】  次に、図３は本発明（１６）の設置例を示す図である。
【００５７】  この図は害獣の生息する藪（１８）と農地（１４）の間の刈り払い地（１５）や農道（１３）を赤外線センサ検出範囲（１７）で覆うように設置し、更に赤外線センサ検出範囲（１７）の一部がオーバーラップするように配し、全周囲をくまなくカバーする例である。
【００５８】  刈り払い地（１５）や農道（１３）は赤外線センサ（５）で害獣を検知しやすく、また害獣からも反射体（１）を認識しやすい場所であるため、図に示すような配置が効果的である。
【００５９】  なお、反射体（１）については大きなものに形成することで優れた視認性や大きな忌避効果を得ることができ、また草で隠れないように高い位置に設けることで視認性を保つことができる。
【００６０】  反射体（１）を支持する支柱（９）については強度や大きさ、並びに重量のある構成にすることで、強風でも転倒しないものにすることができる。
【００６１】  しかしながら、支柱（９）は本構成の大部分を占める部材であるため、軽便な構造にすることで大幅な低コスト化を図ることができ、また設置に手間が掛からないという利点がある。
【００６２】  従って、反射体（１）の大きさ、並びに支柱（９）の構造は前記の条件を踏まえつつバランスのよい構成にする必要がある。
【符号の説明】
【００６３】  １    反射体
２    有色ＬＥＤ発光部
３    連結具
４    ソーラーパネル
５    赤外線センサ
６    音響発生器
７    パワーＬＥＤ発光部
８    取り付け部
９    支柱
１０  収納箱
１１  ケーブル
１２  バネ
１３  農道
１４  農地
１５  刈り払い地
１６  本発明
１７  赤外線センサ検出範囲
１８  藪
【図１】
2019017376.tif 000003
【図２】
2019017376.tif 000004
【図３】
2019017376.tif 000005